(57)【要約】【課題】ヘルメットと帽子とをフィットした状態でしっかりと取付けることできると共に、見栄えを良くすることができる、帽子付きヘルメットを提供する。【解決手段】この帽子付きヘルメット１０は、ヘルメット２０と帽子５０とを備え、帽子５０は、クラウン部５１とスベリ部５７とを有し、クラウン部５１は収縮可能とされ、スベリ部５７は、弾性的に収縮可能とされ、帽子５０をヘルメット２０に被せて、スベリ部５７を内側に折り返すことにより、スベリ部５７がヘルメット２０の下縁部に係合するように構成されており、ヘルメット２０に一対の帽子固定用孔２８，２８が形成され、帽子５０の内面には、帽子固定用孔２８，２８に挿入されヘルメット内側で連結される一対の取付けベルト６８，６８が装着されている。【選択図】図９
2014181417.tif 000002
【特許請求の範囲】
【請求項１】
ヘルメットと、該ヘルメットの外周に着脱可能に取付けられる帽子とを備えた帽子付きヘルメットにおいて、
前記帽子は、クラウン部と、該クラウン部の下縁部に折り返し可能に設けられたスベリ部とを有し、
前記クラウン部は、それ自体が収縮可能な材料で構成されているか、或いは周方向に挿通されたゴムバンドにより収縮可能とされており、
前記スベリ部は、弾性的に収縮可能とされて、前記帽子を前記ヘルメットに被せて、前記スベリ部を内側に折り返すことにより、前記スベリ部が前記ヘルメットの下縁部に係合するように構成されており、
前記ヘルメットには、少なくとも一箇所に一対の帽子固定用孔が形成され、前記帽子の内面には、前記帽子固定用孔に挿入されて前記ヘルメットの内側で連結される一対の取付けベルトが装着されていることを特徴とする帽子付きヘルメット。
【請求項２】
前記クラウン部には、前記帽子後方の周方向に沿ってゴムバンドが部分的に挿通されており、前記ゴムバンドの少なくとも一端部には、前記帽子に対して長さを変えて固定できる長さ調整手段が設けられている請求項１記載の帽子付きヘルメット。
【請求項３】
前記一対の帽子固定用孔は、前記ヘルメットの後方下縁部の１箇所だけに形成されているか、又は、後方下縁部及び前方寄りの両側下縁部の３箇所に形成されており、前記帽子の内面には、前記各帽子固定用孔に対応して前記取付けベルトが装着されている請求項１又は２記載の帽子付きヘルメット。
【請求項４】
前記ヘルメットの前頭部の左右二箇所と後頭部の左右二箇所とにそれぞれ顎紐挿通孔が形成され、１本の顎紐が、前記４箇所の顎紐挿通孔に、前頭部の左右２箇所の間と、後頭部の左右２箇所の間で外部に露出するように順次内外に挿通され、前記ヘルメットの内面側に挿出された左側の２本及び右側の２本を、それぞれ結束具で結束することにより、着用者の耳部が入るループを形成すると共に、該結束具から更に伸びる顎紐部に、左右の顎紐を着脱可能に連結する連結具が設けられて、着用ベルトが構成されている請求項１〜３のいずれか１つに記載の帽子付きヘルメット。
【請求項５】
前記ヘルメットは、樹脂製の本体と、該本体の内側に装着されたクッション材とを有し、前記本体と前記クッション材とを合わせた厚さが、両側頭部よりも前後頭部の方が厚くされている請求項１〜４のいずれか１つに記載の帽子付きヘルメット。
【発明の詳細な説明】
【技術分野】
【０００１】
本発明は、ヘルメットと、このヘルメットの外周に着脱可能に取付けられる帽子とからなる、帽子付きヘルメットに関する。
【背景技術】
【０００２】
以前から、頭部を衝撃などから保護するヘルメットは、様々な分野で広く用いられている。例えば、自動二輪車や原動機付自転車の運転の際には、ヘルメットの装着が義務付けられている。また、安全性の観点から、自転車に乗る際にもヘルメットを装着することが望ましい。しかしながら、ヘルメットはデザイン性に乏しく、見栄えが良くないものが多いため、着用をきらう人も多い。
【０００３】
例えば、下記特許文献１には、クラウン部及びスベリ部を有し、クラウン部周縁に複数の本体切離部が形成され、各本体切離部の一方の端縁部にスライド片が設けられ、他方の端縁部にスライド片が挿入される挿入部が形成され、各挿入部に挿入されたスライド片が、弾性帯状体で挿入部に引き込まれるように弾性的に引張られており、ヘルメットなしで頭部に被せるときには、弾性帯状体による収縮力で頭部外周にフィットし、ヘルメット外周に被せるときには、弾性帯状体が広がると共にスライド片が引き出されて拡張してヘルメット外周に装着可能とした、ヘルメットカバーを兼ねた帽子が記載されている。これによれば、ヘルメット外周に帽子を装着させることで見栄えが良くなる。
【０００４】
また、下記特許文献２には、ヘルメットの外面に、麦わら帽子等の鍔付き帽子が、面ファスナー等の固着具によって、着脱自在に重合されるように構成された防暑用ヘルメットが記載されている。
【０００５】
一方、ヘルメット外周に帽子が取付けられるものではないが、帽子外周にヘルメットを取付けるものもある。下記特許文献３には、帽子本体と、帽子本体頭部を上部から保護する硬質ヘルメットと、硬質ヘルメット内側に衝撃緩衝用空間部を構成するように設けられ緩衝シートと、帽子と硬質ヘルメットを着脱可能に固定する固定手段とよりなる衝撃吸収帽子が記載されている。
【先行技術文献】
【特許文献】
【０００６】
【特許文献１】特開２０１１−２１９９０１号公報
【特許文献２】特開２００６−２４９６２６号公報
【特許文献３】実用新案登録第３１３１９８７号公報
【発明の概要】
【発明が解決しようとする課題】
【０００７】
しかしながら、上記特許文献１に記載のヘルメットカバーを兼ねた帽子は、ヘルメットの下面に帽子のスベリ部を当接させているだけなので、帽子がヘルメットに対してずれたり、強い風等が吹いたりときに、ヘルメットから帽子が外れてしまう可能性がないとは言えなかった。また、帽子がヘルメットに対して回転してしまい、ヘルメットに対する帽子の角度がずれて、外観上おかしくなる可能性もあった。
【０００８】
また、下記特許文献２のヘルメットでは、ヘルメットの外面に、麦わら帽子等の鍔付き帽子が、面ファスナー等の固着具によって、着脱自在に重合されるように構成されているものの、強い風が吹いたときなどに、面ファスナー等の固着具が剥がれて、帽子が飛んでしまう可能性がないとは言えなかった。
【０００９】
更に、下記特許文献３のヘルメットは、帽子をヘルメットの内側に入れて、衝撃吸収を目的としており、帽子をヘルメットの外側に被せて見栄えをよくするという着眼はなされていない。
【００１０】
したがって、本発明の目的は、ヘルメットと帽子とをフィットした状態でしっかりと取付けて、強風等によってもヘルメットから帽子が外れること確実に防止できると共に、ヘルメットに対して帽子が正しく取付けられるようにした、帽子付きヘルメットを提供することにある。
【課題を解決するための手段】
【００１１】
上記目的を達成するため、本発明の帽子付きヘルメットは、ヘルメットと、該ヘルメットの外周に着脱可能に取付けられる帽子とを備え、前記帽子は、クラウン部と、該クラウン部の下縁部に折り返し可能に設けられたスベリ部とを有し、前記クラウン部は、それ自体が収縮可能な材料で構成されているか、或いは周方向に挿通されたゴムバンドにより収縮可能とされており、前記スベリ部は、弾性的に収縮可能とされて、前記帽子を前記ヘルメットに被せて、前記スベリ部を内側に折り返すことにより、前記スベリ部が前記ヘルメットの下縁部に係合するように構成されており、前記ヘルメットには、少なくとも一箇所に一対の帽子固定用孔が形成され、前記帽子の内面には、前記帽子固定用孔に挿入されて前記ヘルメットの内側で連結される一対の取付けベルトが装着されていることを特徴とする。
【００１２】
上記発明によれば、帽子の内面に装着された一対の取付けベルトを、ヘルメットの帽子固定用孔に挿入し、ヘルメットの内側で連結することにより、取付けベルトを介して、ヘルメットと帽子とをしっかりと連結することができる。
【００１３】
また、収縮可能とされたクラウン部及びスベリ部の周長を広げて、帽子をヘルメットに被せることができる。そして、スベリ部を内側に折り返すと、スベリ部がヘルメットの下縁部に係合し、クラウン部及びスベリ部の収縮力により帽子がヘルメット外周にフィットして装着される。
【００１４】
このように、スベリ部をヘルメットの下縁部に係合させると共に、帽子の内面に装着された一対の取付けベルトを、ヘルメットの帽子固定用孔に挿入し、ヘルメットの内側で連結したことにより、走行中に強風等によって帽子が外れて飛んで行ってしまうことを確実に防止できる。また、帽子がヘルメットにフィットして装着されるので見栄えをよくすることができる。
【００１５】
更に、ヘルメットから帽子を外して、帽子だけを着用する際には、クラウン部及びスベリ部の収縮力により帽子が着用者の頭にフィットするので、帽子だけを被ったときの見栄えもよくすることができる。
【００１６】
更にまた、帽子の内面に装着された一対の取付けベルトを、ヘルメットの帽子固定用孔に挿入し、ヘルメットの内側で連結して固定するので、ヘルメットに対する帽子の装着角度を規定することができ、ヘルメットの前後方向と帽子の前後方向とがずれたりすることを防止できる。
【００１７】
本発明の帽子付きヘルメットにおいては、前記クラウン部には、前記帽子後方の周方向に沿ってゴムバンドが部分的に挿通されており、前記ゴムバンドの少なくとも一端部には、前記帽子に対して長さを変えて固定できる長さ調整手段が設けられていることが好ましい。
【００１８】
これによれば、帽子をヘルメットに装着するときは、ゴムバンドの長さを長くしてヘルメットに装着しやすくし、帽子をヘルメットから外して帽子だけを着用するときには、ゴムバンドの長さを短くして、着用者の頭部にフィットしやすくすることができる。また、ゴムバンドが帽子後方の周方向に沿って部分的に挿通されているので、ゴムバンドの収縮によって生じる帽子の皺が、帽子後方にのみ発生し、帽子前方は皺のない状態に維持されるので、見栄えを良くすることができる。
【００１９】
本発明の帽子付きヘルメットにおいては、前記一対の帽子固定用孔は、前記ヘルメットの後方下縁部の１箇所だけに形成されているか、又は、後方下縁部及び前方寄りの両側下縁部の３箇所に形成されており、前記帽子の内面には、前記各帽子固定用孔に対応して前記取付けベルトが装着されていることが好ましい。
【００２０】
これによれば、ヘルメットの後方下縁部の１箇所だけに形成されているか、又は、後方下縁部及び前方寄りの両側下縁部の３箇所に形成されているので、帽子をヘルメットに対して左右バランスよく取付けることができると共に、帽子を被せないでヘルメットだけを着用したときに、ヘルメットの前面に孔が設けられていないので、外観を良好にすることができる。
【００２１】
本発明の帽子付きヘルメットにおいては、前記ヘルメットの前頭部の左右二箇所と後頭部の左右二箇所とにそれぞれ顎紐挿通孔が形成され、１本の顎紐が、前記４箇所の顎紐挿通孔に、前頭部の左右２箇所の間と、後頭部の左右２箇所の間で外部に露出するように順次内外に挿通され、前記ヘルメットの内面側に挿出された左側の２本及び右側の２本を、それぞれ結束具で結束することにより、着用者の耳部が入るループを形成すると共に、該結束具から更に伸びる顎紐部に、左右の顎紐を着脱可能に連結する連結具が設けられて、着用ベルトが構成されていることが好ましい。
【００２２】
これによれば、ヘルメットの前頭部の左右二箇所と後頭部の左右二箇所とに形成された４箇所の顎紐挿通孔に１本の顎紐を通して着用ベルトを構成することができるので、顎紐をヘルメットに固定するための固定部材が必要なくなり、部品点数を少なくして製造作業性を良好にすることができる。また、顎紐をヘルメットに固定するための固定部材を設ける必要がないので、ヘルメットの両側部を薄く形成することができ、帽子を被せたときの見栄えを良くすることができる。更に、左右の顎紐の一方を引張り出すと、他方が引き込まれるので、左右の顎紐の長さをバランスよく調整することができる。
【００２３】
本発明の帽子付きヘルメットにおいては、前記ヘルメットは、樹脂製の本体と、該本体の内側に装着されたクッション材とを有し、前記本体と前記クッション材とを合わせた厚さが、両側頭部よりも前後頭部の方が厚くされていることが好ましい。
【００２４】
これによれば、ヘルメットの両側頭部の厚さをできるだけ薄くしつつ、ヘルメットの前後頭部の厚さを厚くして、必要とされる強度やクッション性を保持しながら、ヘルメットの両側部を薄く形成して、帽子を被せたときの見栄えを良くすることができる。
【発明の効果】
【００２５】
本発明の帽子付きヘルメットによれば、スベリ部をヘルメットの下縁部に係合させると共に、帽子の内面に装着された一対の取付けベルトを、ヘルメットの帽子固定用孔に挿入し、ヘルメットの内側で連結したことで、走行中に強風等によって帽子が外れて飛んで行ってしまうことを確実に防止できる。
【図面の簡単な説明】
【００２６】
【図１】本発明の帽子付きヘルメットの一実施形態を示す斜視図である。
【図２】同帽子付きヘルメットを構成するヘルメットの側面図である。
【図３】同帽子付きヘルメットの断面図である。
【図４】同帽子付きヘルメットを構成するヘルメットの斜視図である。
【図５】同帽子付きヘルメットの底面図である。
【図６】同帽子付きヘルメットにおいて、帽子固定用孔の部分において切断したときの断面図である。
【図７】同帽子付きヘルメットを構成する帽子の分解斜視図である。
【図８】同帽子付きヘルメットを構成する帽子の、底面側から見たときの斜視図である。
【図９】同帽子付きヘルメットにおいて、ヘルメットに帽子を取付ける際の状態を示す斜視図である。
【図１０】同帽子付きヘルメットを被った状態の斜視図である。
【図１１】同帽子付きヘルメットを被った状態の、断面斜視図である。
【図１２】本発明の帽子付きヘルメットの他の実施形態を示す説明図である。
【発明を実施するための形態】
【００２７】
以下、図面を参照して、本発明の帽子付きヘルメットの一実施形態について説明する。
【００２８】
図１に示すように、この帽子付きヘルメット１０は、ヘルメット２０と、該ヘルメット２０の外周に着脱可能に取付けられる帽子５０とを備えている。
【００２９】
まず、図１〜６を参照して、ヘルメット２０について説明する。このヘルメット２０は、左右両側よりも前後がやや長い略ドーム状をなし、ＡＢＳやポリカーボネートから形成された樹脂製の本体２１と、その内側に装着され、発泡スチロール等からなる衝撃吸収用のクッション材２２とを有している。また、前記クッション材２２の内側であって、ヘルメット前頭部側及び頭頂部には、スポンジ等からなり、着用者の頭部に当接するクッション材２３，２４が固着されている。
【００３０】
図２、図３及び図５に示すように、前記ヘルメット２０の頭頂部や前頭部両側には、複数の通気孔２５が、本体２１及びクッション材２２を貫通して形成されている。また、ヘルメット内周の後頭部側には、伸縮ベルト２６が取付けられており、その長さがアジャスター２７により調整可能となっている（図１〜３参照）。アジャスター２７は、操作部を回転させることによって伸縮ベルト２６がスライドする周知の構造からなり、アジャスター２７の内面にはクッション材２７ａが固着されている。よって、着用者の頭部の大きさに応じて、アジャスター２７を操作して伸縮ベルト２６の長さを適宜調整することにより、ヘルメット内周を着用者の頭部にフィットさせることができるようになっている。
【００３１】
また、図５及び図６に示すように、ヘルメット２０の後方下縁部及び前方寄りの両側部の３箇所に、スリット孔状をなした一対の帽子固定用孔２８，２８が本体２１及びクッション材２２を貫通して形成されている。なお、一対の帽子固定用孔２８，２８は、ヘルメット２０の少なくとも１箇所に設けられていればよい。また、この実施形態では、一対の帽子固定用孔２８，２８は、上記３箇所に設けられているが、ヘルメット２０の後方下縁部の１箇所だけに形成してもよい。
【００３２】
また、図１、図２及び図４に示すように、ヘルメット２０の前頭部側で且つ頭頂部寄りの高さに、周方向に沿った凹部２９が形成され、その右端部に顎紐挿通孔３０ａが形成され，左端部に顎紐挿通孔３０ｂが形成されている。同様に、ヘルメット２０の後頭部側で且つ帽子固定用孔２８の上方に、周方向に沿った凹部２９が形成され、その右端部に顎紐挿通孔３０ｃが形成され、左端部に顎紐挿通孔３０ｄが形成されている。すなわち、ヘルメット２０の前頭部の左右２箇所及び後頭部の左右２箇所に顎紐挿通孔３０ａ，３０ｂ,３０ｃ，３０ｄが形成されている。
【００３３】
上記構造のヘルメット２０には、着用ベルト４０が装着されている。この着用ベルト４０は１本の顎紐４１を有しており、これが各顎紐挿通孔３０ａ，３０ｂ，３０ｃ，３０ｄに対して、例えば、次のように挿通されている。
【００３４】
すなわち、顎紐４１は、顎紐挿通孔３０ａからヘルメット外面側に挿出された後、顎紐挿通孔３０ｂからヘルメット内面側に挿出され、更に、顎紐挿通孔３０ｄからヘルメット外面側に挿出された後、顎紐挿通孔３０ｃからヘルメット内面側に挿出されており（図２〜４参照）、１本の顎紐４１が、４箇所の顎紐挿通孔３０ａ，３０ｂ，３０ｃ，３０ｄに、ヘルメット２０の前頭部の左右２箇所の間と、ヘルメット２０の後頭部の左右２箇所の間で外部に露出するように順次内外に挿通されている。
【００３５】
また、顎紐挿通孔３０ａ，３０ｃからヘルメット内面側に挿出された顎紐４１の右側の２本と、顎紐挿通孔３０ｂ，３０ｄからヘルメット内面側に挿出された顎紐４１の左側の２本とが、結束具４３にそれぞれ結束されており、ヘルメット２０の左右両側に着用者の耳部が入るループ４５，４５が形成されるようになっている。
【００３６】
更に、各結束具４３から伸びる左右の顎紐４１には、左右の顎紐４１どうしを着脱可能に連結する連結具４６，４７がそれぞれ設けられており、上記の１本の顎紐４１、左右両側の結束具４３，４３及び連結具４６，４７によって、上記着用ベルト４０が構成されている。
【００３７】
図４に示すように、前記結束具４３は、複数のベルト孔４３ａを有するバックル状をなし、前記連結具４６は、基部側に複数のベルト孔４６ａが形成され、先端側に複数の係合爪４６ｃが形成され、更に、前記連結具４７は、基端にベルト孔４７ａを有するホルダ状をなし、該ホルダ内部に連結具４６の係合爪４６ｃが挿入されて係脱するようになっている。
【００３８】
そして、図４中の紙面左側の部分拡大図に示すように、顎紐挿通孔３０ｂから挿出した顎紐４１は、結束具４３の複数のベルト孔４３ａに順次挿入された後、連結具４７のベルト孔４７ａに挿通され、再度、結束具４３の複数のベルト孔４３ａに順次挿入されることで、顎紐４１のヘルメット左側の２本が結束されると共に、その延長部分に連結具４７が装着されるようになっている。
【００３９】
また、図４中の紙面右側の部分拡大図に示すように、顎紐挿通孔３０ｃから挿出した顎紐４１、及び、顎紐挿通孔３０ａから挿出した顎紐４１が、結束具４３の複数のベルト孔４３ａに挿入されて結束具４３により結束されると共に、該結束具４３から伸びる２本が、連結具４６の複数のベルト孔４６ａに順次挿入され、基端側のベルト孔４６ａから挿出された２本が結束具４３から伸びた２本に重ね合わされて、止め輪４８により固定されている。
【００４０】
なお、止め輪４８を結束具４３側又は連結具４６側にスライドさせて、４本の顎紐４１の結束を緩めた後、複数のベルト孔４６ａに挿通された顎紐４１を引張ることにより、顎紐挿通孔３０ａ，３０ｂ，３０ｃ，３０ｄを介して、ヘルメット左側の顎紐４１が引き込まれて、顎紐４１の左右の長さを調整可能となっている。
【００４１】
また、図５に示すように、この実施形態では、本体２１とクッション材とを合わせた厚さが、ヘルメット２０の側頭部よりも前後頭部の方が厚く形成されている。具体的には、ヘルメット前頭部の本体２１とクッション材２２，２３とを合わせた厚さをＴ１、ヘルメット後頭部の本体２１とクッション材２２とを合わせた厚さをＴ２、ヘルメット２０の両側頭部の本体２１とクッション材２２とを合わせた厚さをＴ３とすると、Ｔ１＞Ｔ２＞Ｔ３となるように構成されている。なお、ヘルメット前頭部の本体２１とクッション材２２とを合わせた厚さも、前記Ｔ２，Ｔ３よりも厚くなっている。
【００４２】
次に、上記ヘルメット２０に取付けられる帽子５０について説明する。
【００４３】
図１、図７及び図８に示すように、この実施形態における帽子５０は、前記ヘルメット２０の外周をカバーする略半球状のクラウン部５１と、該クラウン部５１の下縁周縁部に取付られたフランジ状の鍔部５５と、前記クラウン部５１の下縁部に対して折り返し可能に設けられた環状のスベリ部５７とを有している。なお、帽子５０の形態は、特に限定はなく、例えば、山高帽、中折れ帽、ハンチング帽、ベレー帽、キャップ等であってもよく、また、鍔部５５はなくてもよい。
【００４４】
また、この実施形態のクラウン部５１は、外装部材５２と、その内側に縫着等によって装着されるメッシュ状の内装部材５３とを備えている。
【００４５】
前記クラウン部５１は、周方向に挿通されたゴムバンド６３によって収縮可能となっている。具体的には、前記内装部材５３の帽子後方側に、その周方向に沿って袋状部６１が設けられており、該袋状部６１の周方向両端には開口部６１ａ，６１ａが形成されている。この袋状部６１には、両端部に所定間隔で複数のボタンホール６３ａを設けたゴムバンド６３が挿通されており、該ゴムバンド６３の両端部は、袋状部６１の開口部６１ａ，６１ａから挿出されるようになっている（図８参照）。また、クラウン部５１の内周であって、前記袋状部６１の開口部６１ａ，６１ａから、所定長さ離れた位置には、ボタン６５が固着されている（図８参照）。
【００４６】
したがって、ゴムバンド６３を引張って、所定のボタンホール６３ａにボタン６５を係合させることにより、ゴムバンド６３の長さを適宜調整することできると共に、クラウン部５１を収縮可能となっている。すなわち、この実施形態では、ゴムバンド６３のボタンホール６３ａと、ボタン６５とが、本発明における「長さ調整手段」をなしている。
【００４７】
上記ゴムバンド６３は、帽子後方側の周方向に沿って部分的に挿通されることが好ましく、その長さは、クラウン部５１の内周の１／３〜２／３程度が好ましい。
【００４８】
なお、ゴムバンドの長さ調整手段は、ボタンホール６３ａとボタン６５に限らず、面ファスナーや、スナップボタン等であってもよく、特に限定されない。
【００４９】
また、クラン部５１にゴムバンドを設ける代わりに、クラウン部５１を、例えば伸縮可能なニット製の生地や、弾性糸等で織られた生地で形成して、クラウン部５１自体を収縮可能としてもよい。
【００５０】
前記スベリ部５７は、その内部に袋状部を設けてゴムを挿通させたり、スベリ部自体を伸縮可能なニット製の生地や、弾性糸等で織られた生地や、弾性エラストマー等の弾性材料で形成することにより、弾性的に収縮可能とされている。スベリ部５７は、その外周縁部が、鍔部５５の下面側内周縁に縫着されており（図８参照）、前記クラウン部５１の下縁部に対して折り返し可能となっている。したがって、帽子５０をヘルメット２０に被せて、スベリ部５７を内側に折り返すことにより、図３に示すように、該スベリ部５７が、ヘルメット２０の本体２１及びクッション材２２の下縁部に係合するようになっている。
【００５１】
そして、上記帽子５０の内面には、前記ヘルメット２０に形成された一対の帽子固定用孔２８，２８に挿入されて、ヘルメット２０の内側で連結される一対の取付けベルト６８，６８が装着されている（図７参照）。
【００５２】
この実施形態では、比較的硬質のプラスチック材料からなり、Ｕ字状に屈曲された帯状片の中間部分が、帽子５０の後方下縁部に固着されて、同帯状片の両側部が一対の取付けベルト６８，６８をなしている（図９参照）。また、取付けベルト６８，６８には、互いを連結させる面ファスナー等の連結手段が設けられている。したがって、一対の取付けベルト６８,６８を、一対の帽子固定用孔２８，２８からヘルメット内側に挿出させ、両者を上記連結手段を介して互いに連結させることで（図６参照）、ヘルメット２０に帽子５０が取付られるようになっている。
【００５３】
なお、この実施形態の一対の取付けベルト６８，６８は、ヘルメット２０の後方下縁部の帽子固定用孔２８，２８に対応して、帽子５０の後方下縁部に設けられているが、この態様に限定されず、帽子固定用孔の形成位置等に応じて適宜設けることができる。また、この実施形態では、Ｕ字帯状片の両側部が一対の取付けベルト６８，６８をなしているが、別体の取付けベルト６８，６８を帽子５０の内面にそれぞれ取付けてもよい。更に、一対の取付けベルト６８，６８は、プラスチックや厚紙等、帽子５０の材質より剛性の高いものであることが好ましい。
【００５４】
次に、上記構造からなる本発明の帽子付きヘルメット１０の使用方法及び作用効果について説明する。
【００５５】
図９に示すように、帽子５０内面の一対の取付けベルト６８，６８を、ヘルメット２０の後方下縁部に設けた一対の帽子固定用孔２８，２８に整合させて挿入し、同帽子固定用孔２８，２８から取付けベルト６８，６８をヘルメット内側に挿出させ、取付けベルト６８，６８どうしを面ファスナー等の連結手段で連結させることで、ヘルメット２０の外周に帽子５０を取付けることができる（図６参照）。
【００５６】
それと共に、ゴムバンド６３により収縮可能とされたクラウン部５１、及び、ゴムバンド等により弾性収縮可能とされたスベリ部５７の周長を広げつつ、ヘルメット２０の外周に帽子５０を被せる。更にスベリ部５７を内側に折り返すことで、ヘルメット２０の本体２１及びクッション材２２の下縁部に係合して、クラウン部５１及びスベリ部５７の収縮力により帽子５０がヘルメット２０外周にフィットして装着される（図３参照）。
【００５７】
そして、着用者は、ヘルメット２０を被り、着用ベルト４０の左右のループ４５，４５に左右の耳を入れて、着用ベルト４０の連結具４６の係合爪４６ｃを、連結具４７内に挿入して係合させることで、顎部分で着用ベルト４０が環状に連結されて、帽子付きヘルメット１０を着用することができる（図１０及び図１１参照）。
【００５８】
上記のように、この帽子付きヘルメット１０においては、帽子５０をヘルメット２０にフィットさせて装着できると共に、ヘルメット２０の下縁部にスベリ部５７が係合し、一対の取付けベルト６８，６８がヘルメット２０の一対の帽子固定用孔２８，２８に挿入されてヘルメット２０の内側で連結されるので、帽子５０をヘルメット２０から脱落しないようにしっかりと固定することができる。
【００５９】
また、帽子５０がヘルメット２０の外周にフィットして装着されるので、見栄えをよくすることができ、その結果、例えば、自転車に乗る際に、ヘルメットは見栄えが悪くて被りたくないという着用者のニーズに答えた、使い勝手のよい帽子付きヘルメット１０を提供することができる。
【００６０】
また、帽子５０の一対の取付けベルト６８，６８を、ヘルメット２０の帽子固定用孔２８，２８に挿入し、ヘルメット２０の内側で連結して固定するので、ヘルメット２０に対する帽子５０の装着角度を規定することができ、ヘルメット２０の前後方向と帽子の前後方向とがずれたりすることを防止できる。
【００６１】
更に、ヘルメット２０から帽子５０を外して、帽子５０だけを着用する場合には、クラウン部５１及びスベリ部５７の収縮力によって、帽子２０が着用者の頭にフィットするので、帽子５０だけを被ったときの見栄えもよくすることができる。
【００６２】
また、帽子５０内面の袋状部６１の開口部６１ａ，６１ａから挿出されたゴムバンド６３を引張って、所定位置のボタンホール６３ａにボタン６５を係合させることで、ゴムバンド６３の長さを適宜調整できるので（図８参照）、例えば、帽子５０をヘルメット２０に装着するときは、ゴムバンド６３の長さを長くしてヘルメット２０に装着しやすくし、一方、帽子５０をヘルメット２０から外して帽子５０だけを着用するときには、ゴムバンド６３の長さを短くして、着用者の頭部にフィットしやすくすることができる。また、ゴムバンド６３は、帽子内面の後方に設けた袋状部６１に挿通され、帽子後方の周方向に沿って部分的に挿通されているだけなので、ゴムバンド６３の収縮によって生じる帽子５０の皺が、帽子５０の後方にのみ発生し、帽子５０の前方は皺のない状態に維持されるので、見栄えを良くすることができる。
【００６３】
更に、一対の帽子固定用孔２８，２８は、ヘルメット２０の後方下縁部の１箇所だけに形成されているので、これらに一対の取付けベルト６８，６８を挿入し連結させることで、帽子５０の後方１箇所がヘルメット２０の後方中央部に位置決めされて、帽子５０の左右両側部もヘルメット２０に対して位置決めされて、その結果、帽子５０をヘルメット２０に対して左右バランスよく取付けることができる。また、帽子５０を被せないでヘルメット２０だけを着用したときに、ヘルメット２０の前面に孔が設けられていないので、外観を良好にすることができる。
【００６４】
また、この実施形態における着用ベルト４０は、１本の顎紐４１を、ヘルメット２０の４箇所に設けた顎紐挿通孔３０ａ，３０ｂ，３０ｃ，３０ｄに、ヘルメット２０の前頭部の左右２箇所の間と、ヘルメット２０の後頭部の左右２箇所の間で外部に露出するように順次内外に挿通すると共に、左右の２本を結束具４３でそれぞれ結束してループ４５，４５を形成し、更に各結束具４３から伸びる部分に連結具４６，４７を装着することで、構成されている（図４参照）。したがって、顎紐４１をヘルメット２０に固定するための固定部材を別途設ける必要がなくなるので、部品点数を少なくして製造作業性を良好にすることができる。また、顎紐４１をヘルメット２０に固定するための固定部材を設ける必要がないので、ヘルメット２０の両側部を薄く形成することができ、帽子５０を被せたときの見栄えを良くすることができる。
【００６５】
ところで、ヘルメット左右の顎紐４１の長さを調整したい場合には、ヘルメット右側の止め輪４８を結束具４３側又は連結具４６側にスライドさせて、重ね合された４本の顎紐４１の結束を緩めた後、ベルト孔４６ａに挿通された顎紐４１を引張り出すことで、長さ調整することができる。そして、例えば右側の顎紐４１を短くした場合には、該右側の顎紐４１を引っ張り出すことにより、挿通孔３０ａ，３０ｂ，３０ｃ，３０ｄを介して、左側の顎紐４１が引き込まれるので、ヘルメット左右の顎紐４１の長さをバランスよく調整することができる。
【００６６】
また、この実施形態では、図５に示すように、ヘルメット前頭部の本体２１とクッション材２２，２３との厚さＴ１、及び、ヘルメット後頭部の本体２１とクッション材２２との厚さＴ２が、ヘルメット２０の両側頭部の本体２１とクッション材２２との厚さＴ３よりも厚く形成されている。したがって、ヘルメット２０の両側頭部の厚さをできるだけ薄くしつつ、ヘルメット２０の前後頭部の厚さを厚くすることができ、ヘルメット２０として必要とされる強度やクッション性を保持しつつ、ヘルメット２０の両側部を薄く形成して、帽子５０を被せたときの見栄えを良くすることができる。
【００６７】
図１２には、本発明の帽子付きヘルメットの他の実施形態が示されている。
【００６８】
この実施形態の帽子付きヘルメット１０ａは、帽子５０ａのクラウン部５１の前方の下面周縁から庇状の鍔部５５が延設されたキャップ状をなしており、更に、前記クラウン部５１の内周の後方下縁部及び前方寄りの両側下縁部の３箇所に、一対の取付けベルト６８，６８が設けられている。
【００６９】
この帽子付きヘルメット１０ａによれば、帽子５０ａの３箇所に設けた一対の取付けベルト６８，６８を、ヘルメット２０に設けた対応する一対の帽子固定用孔２８，２８にそれぞれ挿入して、ヘルメット内部で連結させることで、ヘルメット２０に対して帽子５０をよりしっかり取付けることができ、かつ、ヘルメット２０に対する装着角度を、より確実に規定することができる。
【符号の説明】
【００７０】
１０，１０ａ  帽子付きヘルメット
２１  本体
２２，２３，２４  クッション材
２５  通気孔
２６  伸縮ベルト
２６ａ  クッション材
２７  アジャスター
２８，２８  帽子固定用孔
２９  凹部
３０ａ，３０ｂ，３０ｃ，３０ｄ  顎紐挿通孔
４０  着用ベルト
４１  顎紐
４３  結束具
４３ａ  ベルト孔
４５  ループ
４６，４７  連結具
４６ａ  ベルト孔
４６ｃ 係合爪
４７ａ ベルト孔
４８  止め輪
５０，５０ａ  帽子
５１  クラウン部
５２  外装部材
５３  内装部材
５５  鍔部
５７  スベリ部
６１  袋状部
６１ａ  開口部
６３  ゴムバンド
６３ａ  ボタンホール
６５  ボタン
６８，６８  取付けベルト
【図１】
2014181417.tif 000003
【図２】
2014181417.tif 000004
【図３】
2014181417.tif 000005
【図４】
2014181417.tif 000006
【図５】
2014181417.tif 000007
【図６】
2014181417.tif 000008
【図７】
2014181417.tif 000009
【図８】
2014181417.tif 000010
【図９】
2014181417.tif 000011
【図１０】
2014181417.tif 000012
【図１１】
2014181417.tif 000013
【図１２】
2014181417.tif 000014